(57)【要約】【課題】ＡＰＤ測定の操作性向上を図る。【解決手段】被測定信号の周波数成分を分析し、分析された各周波数成分の振幅をそれぞれ検出し、検出された各周波数成分の振幅について単位時間当たりの振幅確率を時間経過毎に求め、各周波数成分の振幅の振幅確率を時間経過に対応して記憶し、最新の記憶内容に基づいて、周波数、振幅、振幅確率及び時間のうち、２つ又は３つを次元とする座標に残りの１つをパラメータとするグラフを表示させるＡＰＤ測定装置１であって、表示制御部３００は、ＡＰＤ測定に関する設定項目の中から任意に選択された設定項目を表示画面上の未使用の設定操作キー４１０に割り当て、設定操作キー４１０の操作に伴い、当該設定操作キー４１０に割り当てられた設定項目に関連する表示内容を表示画面上に展開表示する測定情報表示制御部３９０を備えた。【選択図】図１
2012112903.tif 000002
【特許請求の範囲】
【請求項１】
被測定信号の周波数成分を分析し、分析された各周波数成分の振幅をそれぞれ検出し、検出された各周波数成分の振幅について単位時間当たりの振幅確率を時間経過毎に求めるＡＰＤ測定部（１００）と、該ＡＰＤ測定部が出力する各周波数成分の振幅の振幅確率を時間経過に対応して記憶する記憶部（２００）と、表示部（４００）と、操作部（５００）と、前記記憶部に所定タイミングでアクセスして得られた最新の前記記憶部の記憶内容に基づいて、周波数、振幅、振幅確率及び時間のうち、２つ又は３つを次元とする座標に残りの１つをパラメータとするグラフを前記表示部に表示させる表示制御部（３００）とを備えたＡＰＤ測定装置（１）であって、
前記表示制御部は、ＡＰＤ測定に関する設定項目の中から任意に選択された設定項目を表示画面上の未使用の設定操作キー（４１０）に割り当て、前記設定操作キーの操作に伴い、当該設定操作キーに割り当てられた前記設定項目に関連する表示内容を表示画面上に展開表示する測定情報表示制御部（３９０）を備えたことを特徴とする。
【請求項２】
前記設定操作キー（４１０）は、装置筐体に設けられたファンクションキーと対応付けされていることを特徴とする請求項１記載のＡＰＤ測定装置。
【請求項３】
被測定信号の周波数成分を分析し、分析された各周波数成分の振幅をそれぞれ検出し、検出された各周波数成分の振幅について単位時間当たりの振幅確率を時間経過毎に求めるＡＰＤ測定部（１００）と、該ＡＰＤ測定部が出力する各周波数成分の振幅の振幅確率を時間経過に対応して記憶する記憶部（２００）と、表示部（４００）と、操作部（５００）と、前記記憶部に所定タイミングでアクセスして得られた最新の前記記憶部の記憶内容に基づいて、周波数、振幅、振幅確率及び時間のうち、２つ又は３つを次元とする座標に残りの１つをパラメータとするグラフを前記表示部に表示させる表示制御部（３００）とを備えたＡＰＤ測定装置（１）であって、
前記操作部は、前記表示部に設けられたタッチパネルであり、
前記表示制御部は、前記ＡＰＤ測定に関する測定パラメータを表示画面上に表示制御し、前記操作部からのタッチ入力により前記測定パラメータが選択されると、当該測定パラメータに関連する表示内容を前記表示画面上に展開表示する測定情報表示制御部（３９０）を備えたことを特徴とするＡＰＤ測定装置。
【請求項４】
被測定信号の周波数成分を分析し、分析された各周波数成分の振幅をそれぞれ検出し、検出された各周波数成分の振幅について単位時間当たりの振幅確率を時間経過毎に求め、前記各周波数成分の振幅の振幅確率を時間経過に対応して記憶し、最新の記憶内容に基づいて、周波数、振幅、振幅確率及び時間のうち、２つ又は３つを次元とする座標に残りの１つをパラメータとするグラフを表示させるＡＰＤ測定装置（１）における設定項目割り当て方法であって、
ＡＰＤ測定に関する設定項目の中から任意に選択された設定項目を表示画面上の未使用の設定操作キー（４１０）に割り当て、前記設定操作キーの操作に伴い、当該設定操作キーに割り当てられた前記設定項目に関連する表示内容を表示画面上に展開表示することを特徴とするＡＰＤ測定装置における設定項目割り当て方法。
【請求項５】
表示部（４００）に設けられたタッチパネルからなる操作部（５００）を備え、被測定信号の周波数成分を分析し、分析された各周波数成分の振幅をそれぞれ検出し、検出された各周波数成分の振幅について単位時間当たりの振幅確率を時間経過毎に求め、前記各周波数成分の振幅の振幅確率を時間経過に対応して記憶し、最新の記憶内容に基づいて、周波数、振幅、振幅確率及び時間のうち、２つ又は３つを次元とする座標に残りの１つをパラメータとするグラフを表示させるＡＰＤ測定装置（１）における測定情報の表示制御方法であって、
前記ＡＰＤ測定に関する測定パラメータを表示画面上に表示制御し、前記操作部からのタッチ入力により前記測定パラメータが選択されると、当該測定パラメータに関連する表示内容を前記表示画面上に展開表示することを特徴とするＡＰＤ測定装置における測定情報の表示制御方法。
【発明の詳細な説明】
【技術分野】
【０００１】
本発明は、信号の周波数成分を分析し、各周波数成分の大きさが所定時間中に所定の閾値を超える時間率の累積分布を示す振幅確率分布（Amplitude Probability Distribution：ＡＰＤ）を測定するＡＰＤ測定装置及び該装置における設定項目割り当て方法並びに測定情報の表示制御方法に関するものである。
【背景技術】
【０００２】
妨害波がディジタル通信へ与える影響を推定するうえで非常に有効な統計パラメータとして、電磁妨害波が観測対象となる特定の振幅のレベルを超えている時間率を示すＡＰＤ（Amplitude Probability Distribution）を測定する技術として、例えば、ＡＰＤを高い振幅分解能と時間分解能で測定する特許文献１の技術があり、それをスペクトラムアナライザ等へ適用し、種々の表示を試みた例として特許文献２の技術がある。
【０００３】
一方、最近、通信方式により、所定複数周波数成分のＡＰＤを並列に同時に測定する必要性が要求されてきている。例えば、非特許文献１に記載のように、地上デジタル放送の規格は電波産業会（ＡＲＩＢ）によってＡＲＩＢ標準規格として、ＯＦＤＭ方式（ＯｒｔｈｏｇｏｎａｌＦｒｅｑｕｅｎｃｙＤｉｖｉｓｉｏｎＭｕｌｔｉｐｌｅｘＯｐｅｒａｔｉｏｎＭｏｄｅ）による変調方式が定められている。そして、このＯＦＤＭ方式では、伝送データを所定の帯域に数千本の低速データに分けて、デジタル変調を行う。例えば、その所定の帯域が５．６ＭＨｚであり、伝送データを１ｋＨｚの搬送波（キャリア）単位で分けて、計５、６００本に分けてデジタル変調している。
【０００４】
したがって、ＯＦＤＭ方式におけるＡＰＤ測定は、信号成分を１ｋＨｚ毎に周波数分析して、各周波数成分のＡＰＤを並列に測定することが望まれる。また、特許文献１，２に記載のＡＰＤで並列に測定可能である。
【０００５】
ＡＰＤの表示については、特許文献２では確率分布を確率の範囲毎に帯表示させることにより、分布を視認しやすいように識別して表示させている。
【先行技術文献】
【特許文献】
【０００６】
【特許文献１】特許第３１５６１５２号公報
【特許文献２】特許第３３７４１５４号公報
【非特許文献】
【０００７】
【非特許文献１】東芝レビューＶＯＬ．５８Ｎｏ．１２（２００３年）、ｐ２〜６
【発明の概要】
【発明が解決しようとする課題】
【０００８】
ところで、上述したＯＦＤＭ方式のような稠密な周波数帯にわたる膨大なチャネル数を有する通信環境下の測定においては、多数の通信チャネル内の振幅変化を時々刻々同時に測定し、広いレベル範囲で現象をつぶさに把握する多チャネル同時ＡＰＤ測定が有効な手段である。
【０００９】
また、多チャネル同時ＡＰＤ測定結果は、測定対象となる信号の周波数／発生時間／振幅レベル／ＡＰＤの４つの属性を組み合わせた複数種類のグラフ表示によって、測定信号の各属性間の因果関係を容易に分析することができる。
【００１０】
しかしながら、多チャンネル同時ＡＰＤ測定を行う場合、ＡＰＤ測定に基づく装置の起動から測定終了するまでの一連の操作手順（測定条件の設定、測定の実行、結果分析、データ保存）や上記複数種類のグラフを表示させるまでの操作手順について、その都度装置の全ソフトメニューから階層を辿って操作手順に対応する設定項目を検索してから設定しなければならず設定作業が煩雑であった。また、今後は装置の多機能化に伴い、さらに設定工程数が増加して階層が複雑になるため、設定作業の簡便化が望まれている。
【００１１】
また、ＡＰＤ測定に精通した熟練の技術者では、通常の測定に必要な設定内容の他に、使用頻度の高い設定項目や通常測定とは異なる付属のオプション機能（グラフ表示形態、結果分析等を設定する機能）を使用することがあるが、やはりこれら項目も測定時にその都度メニュー階層を辿って操作をしなけらばならず使い勝手が悪かった。
【００１２】
そこで、本発明は上記問題点に鑑みてなされたものであって、ＡＰＤ測定時の操作性向上が図れるＡＰＤ測定装置及び該装置における設定項目割り当て方法並びに測定情報の表示制御方法を提供することを目的としている。
【課題を解決するための手段】
【００１３】
上記した目的を達成するために、請求項１記載のＡＰＤ測定装置は、被測定信号の周波数成分を分析する周波数分析部１１０と、分析された各周波数成分の振幅をそれぞれ検出するレベル検出部１２０と、検出された各周波数成分の振幅について単位時間当たりの振幅確率を時間経過毎に求めるＡＰＤ部１３０と、該ＡＰＤ部が出力する各周波数成分の振幅の振幅確率を時間経過に対応して記憶する記憶部２００と、表示部４００と、操作部５００と、前記記憶部に所定タイミングでアクセスして得られた最新の前記記憶部の記憶内容に基づいて、前記周波数、前記振幅、前記振幅確率及び前記時間のうち、２つ又は３つを次元とする座標に残りの１つをパラメータとするグラフを前記表示部に表示させる表示制御部３００とを備えたＡＰＤ測定装置１であって、
前記表示制御部は、ＡＰＤ測定に関する設定項目の中から任意に選択された設定項目を表示画面上の未使用の設定操作キー４１０に割り当て、前記設定操作キーの操作に伴い、当該設定操作キーに割り当てられた前記設定項目に関連する表示内容を表示画面上に展開表示する測定情報表示制御部３９０を備えたことを特徴とする。
【００１４】
請求項２記載のＡＰＤ測定装置は、請求項１記載のＡＰＤ測定装置において、前記設定操作キー４１０は、装置筐体に設けられたファンクションキーと対応付けされていることを特徴とする。
【００１５】
請求項３記載のＡＰＤ測定装置は、被測定信号の周波数成分を分析する周波数分析部１１０と、分析された各周波数成分の振幅をそれぞれ検出するレベル検出部１２０と、検出された各周波数成分の振幅について単位時間当たりの振幅確率を時間経過毎に求めるＡＰＤ部１３０と、該ＡＰＤ部が出力する各周波数成分の振幅の振幅確率を時間経過に対応して記憶する記憶部２００と、表示部４００と、操作部５００と、前記記憶部に所定タイミングでアクセスして得られた最新の前記記憶部の記憶内容に基づいて、前記周波数、前記振幅、前記振幅確率及び前記時間のうち、２つ又は３つを次元とする座標に残りの１つをパラメータとするグラフを前記表示部に表示させる表示制御部３００とを備えたＡＰＤ測定装置１であって、
前記操作部は、前記表示部に設けられたタッチパネルであり、
前記表示制御部は、前記ＡＰＤ測定に関する測定パラメータを表示画面上に表示制御し、前記操作部からのタッチ入力により前記測定パラメータが選択されると、当該測定パラメータに関連する表示内容を前記表示画面上に展開表示する測定情報表示制御部３９０を備えたことを特徴とする。
【００１６】
請求項４記載のＡＰＤ測定装置における設定項目割り当て方法は、被測定信号の周波数成分を分析し、分析された各周波数成分の振幅をそれぞれ検出し、検出された各周波数成分の振幅について単位時間当たりの振幅確率を時間経過毎に求め、前記各周波数成分の振幅の振幅確率を時間経過に対応して記憶し、最新の記憶内容に基づいて、周波数、振幅、振幅確率及び時間のうち、２つ又は３つを次元とする座標に残りの１つをパラメータとするグラフを表示させるＡＰＤ測定装置１における設定項目割り当て方法であって、
ＡＰＤ測定に関する設定項目の中から任意に選択された設定項目を表示画面上の未使用の設定操作キー４１０に割り当て、前記設定操作キーの操作に伴い、当該設定操作キーに割り当てられた前記設定項目に関連する表示内容を表示画面上に展開表示することを特徴とする。
【００１７】
請求項５記載のＡＰＤ測定装置における測定情報の表示制御方法は、表示部４００に設けられたタッチパネルからなる操作部５００を備え、被測定信号の周波数成分を分析し、分析された各周波数成分の振幅をそれぞれ検出し、検出された各周波数成分の振幅について単位時間当たりの振幅確率を時間経過毎に求め、前記各周波数成分の振幅の振幅確率を時間経過に対応して記憶し、最新の記憶内容に基づいて、周波数、振幅、振幅確率及び時間のうち、２つ又は３つを次元とする座標に残りの１つをパラメータとするグラフを表示させるＡＰＤ測定装置１における測定情報の表示制御方法であって、
前記ＡＰＤ測定に関する測定パラメータを表示画面上に表示制御し、前記操作部からのタッチ入力により前記測定パラメータが選択されると、当該測定パラメータに関連する表示内容を前記表示画面上に展開表示することを特徴とする。
【発明の効果】
【００１８】
本発明のＡＰＤ測定装置によれば、ＡＰＤ測定を行なう際に使用頻度の高い項目を事前に設定操作キーに割り当てて設定することができるため、測定時の項目検索の時間が削減され、測定作業をスムーズに行うことができる。
【００１９】
また、操作部の構成をタッチパネル方式とした構成の場合、表示情報処理手段による制御により測定条件の設定や表示されたグラフに関する表示処理等を行うためのハードキーの数を装置筐体から削減することができるため、装置の小型化が図れるとともに、直感的な操作が可能となる。
【図面の簡単な説明】
【００２０】
【図１】本発明に係るＡＰＤ測定装置の実施形態の機能構成を示す図である。
【図２】振幅（レベル）範囲が特定値に固定で、周波数を横軸とし時間を縦軸とする座標上に振幅確率（ＡＰＤ）範囲をパラメータとするグラフにおける複数のマルチマーカの表示例を示す図である。
【図３】振幅（レベル）を縦軸としＡＰＤを横軸とする座標上に周波数をパラメータとするレイリー尺のグラフにおける単一マーカの表示例を示す図である。
【図４】ピークマーカを説明するための図である。
【図５】フルスパン、及び、ゾーンマーカと拡大／縮小を説明するための図である。
【図６】（ａ）  設定操作キーに設定する項目の階層表示例を示す図である。  （ｂ）  設定操作キーの項目設定時における表示画面例を示す図である。
【図７】装置筐体に搭載されたファンクションキーと表示画面上の設定項目キーとの関係を示す図である。
【図８】測定パラメータの表示制御例を示す図である。
【図９】テンキーパネルの表示例を示す図である。
【図１０】キーボードパネルの表示例を示す図である。
【図１１】（ａ）〜（ｄ）  拡大・縮小表示制御時の表示例を示す図である。
【図１２】マルチ画面表示時における拡大・縮小表示制御例を示す図である。
【図１３】画面スクロール表示制御時の表示例を示す図である。
【図１４】マルチ画面表示時における画面スクロール表示制御例を示す図である。
【図１５】マーカ操作時の表示例を示す図である。
【発明を実施するための形態】
【００２１】
以下、本発明を実施するための形態について、添付した図面を参照しながら詳細に説明する。なお、この実施の形態によりこの発明が限定されるものではなく、この形態に基づいて当業者等によりなされる実施可能な他の形態、実施例及び運用技術等はすべて本発明の範疇に含まれる。
【００２２】
まず、図１を参照しながら、本例のＡＰＤ測定装置１のＡＰＤ測定に係る主要構成について説明する。図示のように、本例のＡＰＤ測定装置１は、ＡＰＤ測定部１００、記憶部２００、表示制御部３００、表示部４００、操作部５００、制御部６００を備えて構成されている。
【００２３】
ＡＰＤ測定部１００は、周波数分析部１１０、レベル検出部１２０、ＡＰＤ部１３０とを備えて構成されている。
【００２４】
周波数分析部１１０は、測定しようとする所望の周波数帯（広帯域）の入力信号を選択し、さらに狭い所望の周波数帯域（狭帯域）に分けて選択するものであって、帯域選択手段１１０ａ、Ａ／Ｄ変換手段１１０ｂ、及び周波数選択手段１１０ｃで構成される。帯域選択手段１１０ａとしては、例えば、高周波の通信周波数帯域におけるノイズを測定しようとするなら、いわば特許文献２に示されるようなヘテロダイン方式を採用することができる。つまり、入力信号（ノイズ）を局部発振器でミキシングして低周波数の信号に変換して、ここで所望の周波数帯域（δＦ）のバンドパスフィルタを用いて必要な周波数帯の周波数成分に制限する。
なお、測定対象の信号の周波数帯域が低く、Ａ／Ｄ変換手段１１０ｂが直接に利用できる周波数帯であれば、帯域選択手段１１０ａは必ずしも必要ではない。
【００２５】
Ａ／Ｄ変換手段１１０ｂは、帯域選択手段１１０ａで帯域制限された低周波数の周波数成分（信号）を受け、クロック発生器（不図示）からの周期のクロックで振幅（レベル）幅ΔＬの細かさ（この細かさに応じた閾値がある。）で標本化（サンプリング）し、デジタルデータに変換する。後に求められる振幅確率（ＡＰＤ）は、この標本化時のレベル幅ΔＬの細かさ毎に求められる。
【００２６】
周波数選択手段１１０ｃは、δＦの周波数帯域に亘る低周波信号を受けて、さらにｎ個（以下、ｎ（数値）チャネル、或いはｎ（数値）ＣＨということがある。）のバンドパスフィルタ群により更に細かい周波数帯域（δＦ／ｎ）に切り分ける。例えば、通信回線のチャネルが１ｋＨｚ毎であれば中心周波数が１ｋＨｚづつズレ、且つ周波数帯域がほぼ１ｋＨｚのバンドパスフィルタをＢＰＦ１〜ＢＰＦｎのｎ個を備えている。周波数選択手段１１０ｃは、例えば、フィルタバンクとして、ＣＰＵによりソフト的にＦＦＴ処理して行える。
【００２７】
レベル検出部１２０は、周波数選択手段１１０ｃのバンドパスフィルタのそれぞれの出力に対応した振幅、つまり各チャネルの振幅を検出する検波器ＤＥＴ１〜ＤＥＴｎを有し、それぞれチャネルの周波数成分（バンドパスフィルタの中心周波数に該当）の振幅（レベル）を検出する。
【００２８】
ＡＰＤ部１３０は、検波器ＤＥＴ１〜ＤＥＴｎに対応して振幅確率を測定するＡＰＤ検出器であるＡＰＤ１〜ＡＰＤｎ、クロック発生部１３０ａ、及び範囲分類手段１３０ｂを備えている。ＡＰＤ１〜ＡＰＤｎのそれぞれの構成、動作は、同じであって、検波器ＤＥＴ１〜ＤＥＴｎの出力をＬＯＧ変換器で対数変換して振幅の単位を「ｄＢ」変換して振幅確率を測定している。振幅確率を測定するＡＰＤ検出器であるＡＰＤとしては、ここでは、従来のＡＰＤを採用できる。例えば、特許文献２に記載のＡＰＤ、或いは、特願２００６−２５３８８９号公報に記載のＡＰＤが使用できる。
【００２９】
ＡＰＤ１〜ＡＰＤｎは、振幅確率（分布）を測定する。振幅確率は、同じ大きさの入力信号が所定の時間範囲（期間：Δｔ）内に受ける回数（発生する回数）を表す。入力信号の大きさを区別する細かさは、この例では、Ａ／Ｄ変換手段１１０ｂの細かさΔＬと同じである。確率を測定する時間範囲Δｔは、クロック発生部１３０ａからのコントロールに従う。クロック発生部１３０ａは、パルス発生器とタイマーを用いて、例えば時間範囲Δｔとして、１秒間隔、１０秒間隔、或いは１分間隔（いずれも、これらの時間周期のパルスでも良い。）、等のタイミング信号を発生してＡＰＤ１〜ＡＰＤｎに対し、それらの時間範囲内で受ける入力信号の大きさの頻度を測定させることにより、振幅確率を測定させる。操作部５００からの指示（操作入力情報）で制御部６００を通してタイマーのカウント時間を変更して時間範囲Δｔを変更できる構成にしても良い。
【００３０】
範囲分類手段１３０ｂは、ＡＰＤ１〜ＡＰＤｎがそれぞれ演算して求めた振幅確率の値に応じて、ある範囲に分類する。これは、例えば、１％の分解能で調査しても良いが、その調査目的に応じた分解能で、調査に適切な範囲に分類するために設けた機能である。この実施形態では、操作部５００からの指示（操作入力情報）で振幅確率が０から１％、１％から１０％、１０％から５０％、５０％から１００％の４段階に分類している。分類の仕方としては、例えば、ＡＰＤ１〜ＡＰＤｎが求めた振幅確率の値と、分類した範囲に相当する複数の閾値とを比較して、比較結果が属する範囲の確率分類識別札を付す。操作部５００からの指示（操作入力情報）で制御部６００を通して所望の閾値に変更することにより、分類範囲を変更できる構成にしても良い。なお、ＡＰＤ１〜ＡＰＤｎからは、速ければ、時間範囲Δｔ毎に、更新された振幅確率値が集計されて出力される。また、範囲分類手段１３０ｂは、レベル検出部１２０で検出した各振幅を例えばレベル測定範囲の全範囲が０ｄＢｍからー１００ｄＢｍであれば、２０ｄＢ間隔に分類して、振幅確率と同様に、振幅分類札を付しておく。
【００３１】
記憶部２００は、ＡＰＤ１〜ＡＰＤｎから出力される振幅値とその振幅確率値とを時間経過ともに全測定チャネル（測定周波数）数分だけ測定結果データ（ＡＰＤ測定結果）として記憶する。時間経過は、少なくとも、振幅確率を測定するときの時間範囲Δｔ毎に記憶する。さらに、記憶部２００は、範囲分類手段１３０ｂが分類したときの確率分類識別札を該当する振幅確率値に対応して、振幅分類札を該当する振幅値に対応して、且つ測定した周波数に対応して記憶する。また、振幅値、振幅確率値を取得した時間情報もクロック発生部１３０ａから受けて記憶する。なお、上記の範囲分類手段１３０ｂは、記憶部２００の入力側（ＡＰＤ部１３０側）には無く、出力側（表示制御部３００側）に在って、記憶されている振幅確率値又は振幅値が出力されるときに、その振幅確率値又は振幅値がどの分類に属するか判定し、その判定された各分類識別札を添付して出力する構成にしても良い。記憶部２００は、表示制御部３００からアクセスされて最新の記憶内容を読み出し可能にされている。
【００３２】
表示制御部３００は、表示部４００に表示するＡＰＤ測定するのに必要な各種設定項目や表示内容を制御する手段であって、大きく分けて、次の（Ｉ）〜（Ｖ）の要素を備えている。表示制御部３００は、（Ｉ）記憶部２００からの振幅確率値、振幅値、周波数及び時間情報を所定タイミングで受けて、表示部４００に表示させるためのグラフを生成するグラフ生成部３１０、フルスパン制御部３１０ｂ、（ＩＩ）表示されているグラフ上にマーカを設定するための手段である、指定マーカ生成部３２０、ピークサーチ部３４０及びピークマーカ生成部３５０、ゾーンマーカ生成部３６０及び拡大／縮小制御部３１０ａ、及び数値制御部３１０ｃ、（ＩＩＩ）操作部５００からの指示（操作入力情報）に基づいて、指示に沿った所望のグラフ等を表示部４００に表示するための手段としての画面制御部３３０、（ＩＶ）上記各表示を行うための共通の座標情報記憶部３７０及び表示フォーマット記憶部３８０、並びに（Ｖ）操作者の利便性を図るべく測定に使用する各種設定項目や測定結果に基づくグラフ等のＡＰＤ測定に関する測定情報の各種表示制御を行うための手段である測定情報表示制御部３９０を備えている。
【００３３】
座標情報記憶部３７０が記憶している座標情報は、表示されるグラフ、目盛り、各表示欄等の表示画面の位置を特定するのに必要な情報であり、表示フォーマット記憶部３８０が記憶しているフォーマットは、表示されるグラフ、マーカ、目盛り、各表示欄等のレイアウト及び図形であり、表示制御部３００の各要部が、表示させようとしたときに、表示する位置を特定し、特定した位置に該当するフォーマットで表示するために用いられる。なお、以下の各構成要件における説明では、この座標やフォーマットについての説明は省略する。
【００３４】
グラフ生成部３１０は、記憶部２００に所定タイミングで、例えば、上記した時間範囲Δｔの間隔でアクセスして得られた最新の前記記憶内容に基づいて、記憶されている周波数、振幅、振幅確率及び時間のうち、少なくともいずれか２つを次元とする座標に他の１つをパラメータとする第１のグラフを表示部４００に表示させる。そして、操作者が注視するデータとして、その表示されているグラフ上の２つの次元又はパラメータにおける特定の値又は特定の範囲のいずれかを特定値として指定マーカで指定されているとき、操作部５００からの切り替え指示を受けて、指定マーカで指定された２つの次元又はパラメータをその特定値に固定したときの、指示を受けた新たな組合せの次元及びパラメータについてのグラフに切り替えて生成する。
【００３５】
グラフ生成部３１０は、２次元のグラフを生成する場合は、周波数、振幅、振幅確率及び時間の各次元のうち、後記する指定マーカ又はピークマーカで、或いはデフォルトとして、指定（或いは特定）された何れかの次元における特定値を固定値とし、記憶部２００からその特定値が関与する残りの次元のデータを読み出す。そして、その残りの次元のうちの２つの次元のデータを操作部５００から要求されている所望のグラフの横軸（以下、「Ｘ軸」と言う。）と縦軸（以下、「Ｙ軸」と言う。）として割りあて、残りの１つの次元のデータをパラメータとしたグラフを生成して表示部４００に表示させ、さらに、上記所定タイミングで都度、更新して表示させる処理を行う。３次元のグラフを生成する場合は、特定値が指定された次元以外の残りの次元を３次元として割り当てて生成する。
【００３６】
なお、グラフ生成部３１０で生成される具体的なグラフ表示処理及びグラフ例は、本願発明者らによる特許出願（特開２０１０−２３７１５１号（日本出願日：２００９年３月３１日）の段落番号〔００３５〕〜〔００５３〕、及び特願２０１０−１１０３７６号（日本出願日：２０１０年５月２２日）の段落番号〔００３８〕〜〔００５６〕、〔００６５〕〜〔０１２５〕）にそれぞれ詳述されているので、本明細書ではそれらの部分の説明を省略する。
【００３７】
指定マーカ生成部３２０は、上記したように表示されているグラフ上に、操作部５００からの指示（操作入力情報）で各グラフの座標を構成する各次元を指定することができる（例えば、図２を参照）。そして、その特定値は、次の切り替え先のグラフで固定値に固定され、その固定値を中心に展開したグラフを得ることができる。
【００３８】
指定マーカ生成部３２０は、また、操作部５００からの指示（操作入力情報）で各グラフの座標を構成する各次元の指定ばかりでなく、パラメータ（或いはそのスケール）を指定することもできる。そして、その特定値は、次の切り替え先のグラフ固定値に固定され、その固定値を中心に展開したグラフを得ることができる。例えば、図２におけるパラメータのスケールである、「振幅確率範囲の識別表示」箇所にサブマーカ（指定マーカの一種類として）を置くことで指定し、このサブマーカで指定された振幅確率範囲を特定値として、次のグラフを展開することもできる。図２では、サブマーカをパラメータのスケールのところに設定したが、グラフ中（座標内）のパラメータを直接指す位置に設定しても良い。
【００３９】
指定マーカ生成部３２０は、指定マーカの他に、単一のマーカ（ＭＫＲ）又は複数のマルチマーカ（ＭＫＲ）を生成して、表示させることができる。図２では、５つのマーカをＸ軸（周波数軸）に設定された例である。図２の場合、数値制御部３１０ｃは、そのマルチマーカ点における、且つ特定値ｔ＝７９ｓｅｃにおける、周波数、振幅（レベル）及び振幅確率（ＡＰＤ）を記憶部２００から読み出して、図２の下段に表示させる。つまり、単一又はマルチマーカは、そのマーカ点におけるデータを数値で読み取るためのものであると同時に、グラフ表示されている値以外のデータの値も読み取り、表示することができる。単一マーカの例を図３に示す。
【００４０】
ピークサーチ部３４０は、所定のグラフを表示しているときに、画面制御部３３０を介して操作部５００からピークをサーチする範囲の指定を受けてその範囲におけるピーク位置を求める。そして、ピークマーカ生成部３５０は、その表示されているグラフ上に、ピーク位置を示すマーカを生成して、表示部４００に表示させる。例えば、図４に示すような、レベルチャート（振幅が縦軸、時間が横軸）のグラフ上で、１０％＜ＡＰＤ≦５０％の範囲におけるピークマーカの表示要求があったとき、ピークサーチ部３４０は、記憶部２００にアクセスして１０％＜ＡＰＤ≦５０％の範囲で各周波数における振幅（レベル）がピークとなるＸ軸、Ｙ軸の位置をサーチするとともに、同時にそのピーク位置における振幅及び振幅確率を読みとる。そして、ピークマーカ生成部３５０は、ピーク位置にピーク位置を示すマーカを生成して表示させ、且つ数値制御部３１０ｃがピーク位置における振幅及び振幅確率を表示させる（図４の白抜き表示を参照）。
【００４１】
なお、ピークマーカはパラメータの最大値を示すので、そのピークマーカで指定されたパラメータの特定値を特定するものとして、前記指定マーカの代わりにピークマーカで特定された値を特定値に用いて、グラフを切り替えることも可能である。
【００４２】
フルスパン制御部３１０ｂは、例えば、図５（ａ）に示すレベルチャートのグラフが右端をカンレト時間位置（現在時間位置）として５分前からの振幅変化を表示しているとき、操作者が、測定開始からのレベル変化を観測したい旨の要求としたとき、その要求を、画面制御部３３０を介して受けたフルスパン制御部３１０ｂが、グラフ生成部３１０に対して、測定開始時刻（０時刻）から現在時刻まで（フルスパン；Ｆｕｌｌ  Ｓｐａｎ）のレベル変化を示すレベルチャートを、例えば図５（ｂ）に示すグラフを生成させて、それ表示部４００に表示させる。フルスパン制御については、レベルチャートのグラフで説明したが、上記、他のグラフであっても実行できる。
【００４３】
ゾーンマーカ生成部３６０は、表示されているグラフ上であって、操作部５００から指示される位置及び幅に、ゾーンを示すマーカを生成して表示させる。図５（ｂ）のゾーンマーカを参照。そのゾーンがグラフに表示されているとき、操作部５００から拡大指示を、画面制御部３３０を介して受けた拡大／縮小制御部３１０ａは、そのグラフの指定された範囲を拡大（画像を拡大）したグラフをグラフ生成部３１０に生成させ、表示部４００に拡大表示させる。図５（ｃ）を参照。図５（ｃ）を表示しているときに、次に縮小指示を受けた拡大／縮小制御部３１０ａは、そのグラフの指定された範囲を縮小（画像を縮小）したグラフをグラフ生成部３１０に生成させ、図５（ｂ）のように表示部４００に拡大表示させる。ゾーンマーカ、及び拡大／縮小の制御については、レベルチャートのグラフで説明したが、上記、他の種類のグラフであっても実行できる。
【００４４】
画面制御部３３０は、各部を説明しているときに既に説明したように、操作部５００からの指示（操作入力情報）を受け、表示制御部３００内の各部を制御する。
【００４５】
測定情報表示制御部３９０は、項目割当手段３９０ａ、表示情報処理手段３９０ｂを備え、操作者の利便性を図るべく、使用頻度の高い設定項目を表示画面上の設定操作キー４１０に割り当てる制御や、操作者のタッチパネル操作に基づき測定条件や測定結果に基づくグラフ等のＡＰＤ測定に関する測定情報の各種表示処理を行っている。
【００４６】
項目割当手段３９０ａは、操作部５００からの所定操作（タッチパネル上からのダイレクト操作又は各種周辺機器からの操作）により、ＡＰＤ測定に際し操作者が使用頻度の高い設定項目を表示画面上の設定操作キー４１０（ソフトキー）に割り当てている。
【００４７】
ここで、設定操作キー４１０への設定項目割り当て処理について説明する。まず、図６（ｂ）の表示画面上の設定操作キー４１０のセットアップキー（図例では「Ｕｓｅｒ  Ｍｅｎｕ  Ｓｅｔｕｐ」）を選択すると、図６（ａ）のダイアログが表示される。そして、図６（ａ）に示すように、操作者は設定したい項目（図例では「Ｄｉｓｐｌａｙ  Ｍｏｄｅ」）を予めメニュー階層から検索し、この画面上で該当する項目を選択する。次に、図６（ａ）の「Ｓｅｔ」ボタンを押すと、メニュー階層の中から選択された項目が割り当てられる（図例では「Ｄｉｓｐｌａｙ  Ｍｏｄｅ  １ｓｅｃ  Ａｃｃｕｍ」を「Ｍｅｎｕ１」に割り当てた「Ｍｅｎｕ２」〜「Ｍｅｎｕ７」は未設定）。すなわち、項目登録された設定操作キー４１０は、従来のようにメニュー階層を辿って選択するのと同様に、設定操作キー４１０を選択することで、割り当てられた項目に応じた条件設定やそれに対応する表示内容（例えば設定ダイアログ４２０の表示）を行うショートカットキーとして機能する。
【００４８】
また、図７に示すように、装置筐体に配置されたファンクションキー（図例では「Ｆ１」〜「Ｆ８」）と設定操作キー４１０とを予め対応付けしておき、上記のように設定操作キー４１０に項目を割り当てることで、設定操作キー４１０に割り当てられた項目をファンクションキーからのキー操作によって同様の処理を行うことができる。
【００４９】
表示情報処理手段３９０ｂは、操作部５００の構成がタッチパネル方式の場合、操作者によるタッチパネル上からのダイレクト操作に基づく操作入力情報を操作部５００から入力して、表示画面上に表示された測定情報（測定条件や測定結果を示すグラフ等）に関する設定ダイアログ４２０の表示制御や表示内容の変換処理を行う。表示情報処理手段３９０ｂの処理機能としては、（１）測定パラメータの表示制御、（２）拡大・縮小表示制御、（３）画面スクロール表示制御、（４）マーカ操作制御がある。以下、各機能について図８〜１５を参照しながらそれぞれ説明する。
【００５０】
（１）測定パラメータの表示制御
図８に示すように、測定パラメータの表示制御は、表示画面上に表示された測定結果に関するグラフの各測定パラメータ（図例では、「Ｃｅｎｔｅｒ  Ｆｒｅｑ．」：測定中心周波数、「ＲＢＷ」：ＲＢＷ（Resolution Band Width ）、「Ｃｈａｎｎｅｌ  Ｎｕｍ．」：測定チャネル数、「Ｒｅｆ，Ｌｅｖｅｌ」：リファレンスレベル、「Ｍｅａｓ．  Ｔｉｍｅ」：測定時間、「Ｃａｌ」：校正内容、「Ｔｒａｃｅ」：表示グラフ形式）が画面上部に表示されている。
【００５１】
また、表示される各測定パラメータと、これら測定パラメータの設定内容に応じた設定ダイアログ４２０とを関連付けされており、操作者によるタッチパネル上からの選択操作されると、この操作に基づく操作入力情報を操作部５００から入力して、図９に示すように選択された測定パラメータの設定ダイアログ４２０や入力パネル４３０等の測定パラメータに関連する表示内容を表示画面上に表示制御している。なお、図９は設定ダイアログ４２０が「Ｍｅａｓ．Ｔｉｍｅ」の設定内容を入力する数値入力画面、図１０は設定ダイアログ４２０が文字入力画面である。また、設定内容に応じた設定ダイアログ４２０と併せて、表示画面上の空きスペースにテンキーパネル４３０ａ（文字入力の場合はキーボードパネルでもよい）を表示している。
【００５２】
（２）拡大・縮小表示制御
図１１（ａ）に示すように、拡大・縮小表示制御は、タッチパネル上からのクリック動作に基づく操作入力情報により、図１１（ｂ）に示すように画面上にゾーンマーカ（点線部分）と関連するソフトメニュー（図例では、「Ｚｏｎｅ」、「Ｚｏｎｅ  Ｍａｒｋｅｒ  Ｏｎ  Ｏｆｆ」、「Ｚｏｎｅ  Ｍａｒｋｅｒ  Ｓｅｔｕｐ」、「Ｍａｒｋｅｒ」）を表示する。そして、図１１（ｃ）に示すように、操作者によりゾーンマーカがドラッグ操作され拡大範囲が指定されると、この操作に基づく操作入力情報を操作部５００から入力して、図１１（ｄ）に示すように選択された部分の拡大表示を行う。
【００５３】
また、図１２に示すように、測定結果のマルチ画面表示（上画面は拡大表示、下画面はフルスパン表示）の場合は、フルスパン表示されたグラフにおける拡大したい箇所を上記操作と同様に範囲選択することで、広い測定範囲（フルスパン表示）を観察しながら同時に注目したい範囲（拡大表示）の測定結果を詳細に分析することもできる。
【００５４】
（３）画面スクロール表示制御
図１３に示すように、画面スクロール表示制御は、操作者によりタッチパネル上から上下左右のドラッグ動作がなされると、この操作に基づく操作入力情報を操作部５００から入力して、表示されたグラフを操作された方向へスクロール制御する。
【００５５】
また、図１４に示すように、測定結果のマルチ画面表示（上画面は拡大表示、下画面はフルスパン表示）の場合は、フルスパン表示上に表示されたゾーンマーカ（点線部分）の位置をタッチパネル上からドラッグ動作されると、この操作に基づく操作入力情報を操作部５００から入力し、この動作に伴い拡大表示された表示範囲も連動して画面スクロールするよう制御される。同様に、拡大表示画面をタッチパネル上からドラッグ動作すると、この動作に伴いフルスパン表示画面上のゾーンマーカの位置が連動して移動制御する。これにより、広い測定範囲（フルスパン表示）を観察しながら同時に注目したい範囲（拡大表示）の測定結果を詳細に分析することもできる。
【００５６】
（４）マーカ操作制御
図１５に示すように、表示画面上に表示されたマーカ（点線）をタッチパネル上からドラッグ動作されると、この操作に基づく操作入力情報を操作部５００から入力して、例えば移動後のマーカ位置に該当するグラフの周波数がグラフの直下に表示制御され、その周波数点における測定結果も下側のリストに数値表示する。
【００５７】
なお、表示情報処理手段３９０ｂは、操作部５００の構成としてタッチパネル方式が採用された装置構成の場合に操作が簡易化する有効な機能であるが、操作部５００の構成がマウスやキーボード等の周辺機器のみの場合であっても機能する。すなわち、操作部５００がマウスの場合、例えばクリック動作による項目選択やクリック動作と同時にスクロール方向へ移動させることで、タッチパネル上からのドラッグ動作と同様に項目選択や画面スクロールが可能となる。
【００５８】
上記の表示制御部３００は、上記説明した機能・動作を記載したプログラムと、それを実行するＣＰＵで構成されるが、図１の表示制御部３００を構成する各要部の組合せは、必ずしも図１の通りである必要はなく、上記した機能・動作を実行する上で、或いはそれを設計する上で、より合理的に組み替え変更されるものである。上記した機能・動作を実行する構成である限り、本発明の範疇である。
【００５９】
表示部４００は、液晶ディスプレイやＣＲＴ等の表示機器で構成され、表示制御部３００の表示制御に基づき、ＡＰＤ測定に関する設定項目画面の表示、ＡＰＤ測定結果の表示、ＡＰＤ測定結果に基づき生成された各種グラフ（２Ｄ又は３Ｄ表示）等、ＡＰＤ測定装置１の駆動や各種制御に関する表示内容を表示している。
【００６０】
操作部５００は、例えば装置本体に具備されるテンキーや選択ボタン等の各種操作キー、キーボードやマウス等のポインティングデバイスを含む各種周辺機器、表示部４００の表示画面に対応する入力面への接触操作による接触位置を検出するためのタッチセンサを備えるタッチパネル等の各種入力装置で構成される。操作部５００は、ＡＰＤ測定開始時や測定に関する各種設定項目のパラメータ選択・変更の際に所定操作され、この操作に応じた操作入力情報を表示制御部３００に出力している。
【００６１】
制御部６００は、ＡＰＤ測定部に対するＡＰＤ測定に関する各種設定制御等のＡＰＤ測定装置１を構成する各部の駆動制御を行っている。
【００６２】
以上説明したように、上述したＡＰＤ測定装置１は、操作者の利便性を図るべく、使用頻度の高い設定項目を表示画面上の設定操作キー４１０に割り当てる制御を行う項目割当手段３９０ａと、操作者の所定操作に基づき測定条件や測定結果に基づくグラフ等のＡＰＤ測定に関する測定情報の各種表示処理を行う表示情報処理手段３９０ｂとを備えた測定情報表示制御部３９０を備えている。
【００６３】
これにより、ＡＰＤ測定を行なう際に使用頻度の高い項目を事前に設定操作キー４１０に割り当てて設定することができるため、測定時の項目検索の時間が削減され、測定作業をスムーズに行うことができる。
【００６４】
また、操作部５００の構成をタッチパネル方式とした場合、表示情報処理手段３９０ｂによる制御により測定条件の設定や表示されたグラフに関する表示処理等を行うためのハードキーの数を装置筐体から削減することができるため、装置の小型化が図れるとともに、直感的な操作が可能となる。
【符号の説明】
【００６５】
１…ＡＰＤ測定装置
１００…ＡＰＤ測定部
１１０…周波数分析部（１１０ａ…帯域選択手段、１１０ｂ…Ａ／Ｄ変換手段、１１０ｃ…周波数選択手段）
１２０…レベル検出部
１３０…ＡＰＤ部（１３０ａ…クロック発生部、１３０ｂ…範囲分類手段）
２００…記憶部
３００…表示制御部
３１０…グラフ生成部３１０（３１０ａ…拡大／縮小制御部、３１０ｂ…フルスパン制御部、３１０ｃ…数値制御部）
３２０…指定マーカ生成部
３３０…画面制御部
３４０…ピークサーチ部
３５０…ピークマーカ生成部
３６０…ゾーンマーカ生成部
３７０…座標情報記憶部
３８０…表示フォーマット記憶部
３９０…測定情報表示制御部（３９０ａ…項目割当手段、３９０ｂ…表示情報処理手段）
４００…表示部（４１０…設定操作キー、４２０…設定ダイアログ、４３０…入力パネル、４３０ａ…テンキーパネル、４３０ｂ…キーボードパネル）
５００…操作部
６００…制御部
【図１】
2012112903.tif 000003
【図２】
2012112903.tif 000004
【図３】
2012112903.tif 000005
【図４】
2012112903.tif 000006
【図５】
2012112903.tif 000007
【図６】
2012112903.tif 000008
【図７】
2012112903.tif 000009
【図８】
2012112903.tif 000010
【図９】
2012112903.tif 000011
【図１０】
2012112903.tif 000012
【図１１】
2012112903.tif 000013
【図１２】
2012112903.tif 000014
【図１３】
2012112903.tif 000015
【図１４】
2012112903.tif 000016
【図１５】
2012112903.tif 000017